【手続補正書】
【提出日】平成30年10月19日(2018.10.19)
【手続補正１】
【補正対象書類名】特許請求の範囲
【補正対象項目名】全文
【補正方法】変更
【補正の内容】
【特許請求の範囲】
【請求項１】
対話型スタイラスにおけるディスクリート回路多重化システムであって、当該ディスクリート回路多重化システムは、
スタイラス本体と、
該スタイラス本体に位置付けされた第１の電極及び第２の電極と、
前記第１の電極及び前記第２の電極に結合された共有送信サブシステムと、
（ｉ）第１の時間間隔の間に、前記第１の電極を有効にし、且つ前記第２の電極を無効にすることによって、前記第１の電極を選択的に刺激し、（ｉｉ）第２の時間間隔の間に、前記第２の電極を有効にし、且つ前記第１の電極を無効にすることによって、前記第２の電極を選択的に刺激するように構成されたマイクロコントローラと、を有し、
前記第１及び第２の電極は、それぞれ、電圧パルスを前記共有送信サブシステムからそれぞれの電極に送信するのを可能にすることによって有効にされ、
前記第１及び第２の電極は、それぞれ、電圧パルスを前記共有送信サブシステムからそれぞれの電極に送信するのを防止することによって無効にされる、
ディスクリート回路多重化システム。
【請求項２】
前記共有送信サブシステムと前記第１の電極との間に結合された第１のキャパシタであって、前記マイクロコントローラは、前記第１のキャパシタと前記第１の電極との間に位置付けされた第１のノードを接地することによって前記第１の電極を無効にし、且つ前記第１のノードをフローティングさせることによって前記第１の電極を有効にするように構成される、第１のキャパシタと、
前記共有送信サブシステムと前記第２の電極との間に結合された第２のキャパシタであって、前記マイクロコントローラは、前記第２のキャパシタと前記第２の電極との間に位置付けされた第２のノードを接地することによって前記第２の電極を無効にし、且つ前記第２のノードをフローティングさせることによって前記第２の電極を有効にするように構成される、第２のキャパシタと、をさらに有する、請求項１に記載のディスクリート回路多重化システム。
【請求項３】
前記第１の電極及び前記第２の電極から信号を受信するように構成された受信サブシステムをさらに有しており、前記マイクロコントローラは、そのような受信信号を処理して、前記共有送信サブシステムによって前記第１の電極及び前記第２の電極のどちらを選択的に刺激すべきかを決定するように構成される、請求項１に記載のディスクリート回路多重化システム。
【請求項４】
前記マイクロコントローラは、前記第１の電極及び前記第２の電極を逆に有効に及び無効にし、そのような逆動作の結果として前記受信サブシステムで受信した信号に基づいて、前記共有送信サブシステムによって前記第１の電極及び前記第２の電極のどちらを選択的に刺激すべきかを決定するように構成される、請求項３に記載のディスクリート回路多重化システム。
【請求項５】
前記マイクロコントローラは、
前記第１の電極が有効にされ、且つ前記第２の電極が無効にされているときに、前記受信サブシステムが閾値よりも大きい信号を受信した場合に、前記共有送信サブシステムによって前記第１の電極を選択的に刺激し、
前記第１の電極が無効にされ、且つ前記第２の電極が有効にされているときに、前記受信サブシステムが閾値より大きい信号を受信した場合に、前記共有送信サブシステムによって前記第２の電極を選択的に刺激するように構成される、請求項４に記載のディスクリート回路多重化システム。
【請求項６】
前記第１の電極は前記スタイラス本体の第１の端部に位置付けされ、前記第２の電極は前記スタイラス本体の第２の端部に位置付けされる、請求項１に記載のディスクリート回路多重化システム。
【請求項７】
前記共有送信サブシステムと前記第１の電極との間に結合された第１のキャパシタと、
前記第１の電極と前記第１のキャパシタとの間に位置付けされた第１のノードを接地及び非接地状態にするように構成された第１のスイッチと、
前記共有送信サブシステムと前記第２の電極との間に結合された第２のキャパシタと、
前記第１の電極と前記第１のキャパシタとの間に位置付けされた第２のノードを接地状態及び非接地状態にするように構成された第２のスイッチと、をさらに有する、請求項１に記載のディスクリート回路多重化システム。
【請求項８】
前記第１の電極を使用する意図のユーザの決定に応じて、前記マイクロコントローラは、動作時に前記共有送信サブシステムが前記第１の電極を刺激するように、前記第２の電極を無効にし、且つ第１の電極を有効にするように構成され、
前記第２の電極を使用する意図のユーザの決定に応じて、前記マイクロコントローラは、動作時に前記共有送信サブシステムが前記第２の電極を刺激するように、第１の電極を無効にし、且つ第２の電極を有効にするように構成される、請求項１に記載のディスクリート回路多重化システム。
【請求項９】
前記第１の電極が前記第２の電極よりも対話型ディスプレイにより近いと判定されたことに応じて、前記マイクロコントローラは、動作時に前記共有送信サブシステムが前記第１の電極を刺激するように、前記第２の電極を無効にし、且つ前記第１の電極を有効にするように構成され、
前記第２の電極が前記第１の電極よりも対話型ディスプレイにより近いと判定されたことに応じて、前記マイクロコントローラは、動作時に前記共有送信サブシステムが前記第２の電極を刺激するように、前記第１の電極を無効にし、且つ第２の電極を有効にするように構成される、請求項１に記載のディスクリート回路多重化システム。
【請求項１０】
前記第１の電極は、前記対話型スタイラスにインク動作モードを提供するように構成され、前記第２の電極は、前記対話型スタイラスに消去動作モードを提供するように構成される、請求項１に記載のディスクリート回路多重化システム。
【請求項１１】
第１の電極及び第２の電極を有する対話型スタイラスを動作させる方法であって、当該方法は、
前記第１の電極及び前記第２の電極に結合された受信サブシステムを介して、活性化(activity)閾値を超える信号を受信するステップと、
前記活性化閾値を超えることに応じて、前記第１の電極及び前記第２の電極を逆に有効及び無効にするステップと、
該逆に有効及び無効にするステップの間に、前記第１の電極及び前記第２の電極のどちらがアクティブ状態であるかを特定するために前記受信サブシステムで受信したレベルを読み取るステップと、
前記第１の電極及び前記第２の電極に結合された共有送信サブシステムからの波形を介して、前記特定されたアクティブ状態の電極を選択的に刺激するステップと、を含む、
方法。
【請求項１２】
前記特定されたアクティブ状態の電極を選択的に刺激するステップは、前記特定されたアクティブ状態の電極を有効にし、前記第１の電極及び前記第２の電極の他方を無効にするステップを含む、請求項１１に記載の方法。
【請求項１３】
前記共有送信サブシステムと前記第１の電極との間に第１のキャパシタが結合され、前記第１の電極は、前記第１のキャパシタと前記第１の電極との間の第１のノードを接地することによって無効にされ、且つ前記第１のノードをフローティングさせることによって有効にされ、
前記共有送信サブシステムと前記第２の電極との間に第２のキャパシタが結合され、前記第２の電極は、前記第２のキャパシタと前記第２の電極との間の第２のノードを接地することによって無効され、且つ前記第２のノードをフローティングにさせることによって有効にされる、請求項１２に記載の方法。
【請求項１４】
前記第１の電極は、前記対話型スタイラスにインク動作モードを提供するように構成され、前記第２の電極は、前記対話型スタイラスに消去動作モードを提供するように構成される、請求項１１に記載の方法。
【請求項１５】
前記第１の電極は前記対話型スタイラスの第１の端部に位置付けされ、前記第２の電極は前記対話型スタイラスの第２の端部に位置付けされる、請求項１１に記載の方法。
【請求項１６】
前記共有送信サブシステムが前記特定されたアクティブ状態の電極を刺激している間に、前記受信サブシステムと、前記第１の電極及び前記第２の電極との間のスイッチを無効にするステップをさらに含む、請求項１１に記載の方法。
【請求項１７】
対話型スタイラスにおけるディスクリート回路多重化システムであって、当該ディスクリート回路多重化システムは、
スタイラス本体と、
該スタイラス本体に位置付けされた第１の電極及び第２の電極と、
前記第１の電極及び前記第２の電極に結合された共有送信サブシステムと、
前記第１の電極と前記共有送信サブシステムとの間に結合された第１のキャパシタであって、該第１のキャパシタと前記第１の電極との間に位置付けされた第１のノードを含む第１のキャパシタと、
前記第２の電極と前記共有送信サブシステムとの間に結合された第２のキャパシタであって、該第２のキャパシタと前記第２の電極との間に位置付けされた第２のノードを含む第２のキャパシタと、
前記第１の電極及び前記第２の電極に結合された受信サブシステムと、
前記第１の電極及び前記第２の電極から前記受信サブシステム内で受信された信号に応じて、前記第１の電極及び前記第２の電極を選択的に接地及びフローティングさせることによって前記共有送信サブシステムから前記第１の電極及び前記第２の電極に選択的な送信波形を生じさせ、それにより、前記第１の電極及び前記第２の電極の一方のみを一度に刺激するように構成されたマイクロコントローラと、を有する、
ディスクリート回路多重化システム。
【請求項１８】
前記マイクロコントローラは、前記第１の電極及び前記第２の電極を逆に接地及びフローティングさせ、そのような逆動作の結果として前記受信サブシステムで受信した信号に基づいて、前記第１の電極及び前記第２の電極のどちらを選択的に刺激すべきかを決定するように構成される、請求項１７に記載のディスクリート回路多重化システム。
【請求項１９】
前記第１の電極は、前記対話型スタイラスにインク動作モードを提供するように構成され、前記第２の電極は、前記対話型スタイラスに消去動作モードを提供するように構成される、請求項１７に記載のディスクリート回路多重化システム。